【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
ユーザの携帯端末にチャージされた電子マネーを用いて遊技を可能にするための電子マネー遊技使用サービスを提供する電子マネーシステムであって、
電子マネーに関するサービスを提供するサービス提供用サーバに設けられ、前記携帯端末にチャージした電子マネー情報の額を特定可能な送信額特定情報と、該電子マネー情報をチャージした携帯端末を識別するための携帯端末識別情報とを対応付けて記憶する送信電子マネー記憶手段と、
前記携帯端末と通信し、該携帯端末にチャージされている電子マネー情報を用いて遊技を可能にするための電子マネー遊技使用装置に設けられ、遊技を可能にするために使用する電子マネー情報の引落しを要求する引落要求情報を前記携帯端末に送信するために出力する引落要求情報出力手段と、
前記携帯端末に設けられ、前記引落要求情報出力手段から送信されてきた前記引落要求情報に応じて、前記チャージされた電子マネー情報から前記引落要求情報により要求された額の電子マネー情報を減算し、減算した旨を示す減算終了情報を前記電子マネー遊技使用装置に送信するために出力する減算終了情報出力手段と、
前記電子マネー遊技使用装置に設けられ、前記減算終了情報出力手段から送信されてきた前記減算終了情報に応じて、前記減算された額の電子マネー情報を用いた遊技を可能にするための遊技可能化処理を行なう遊技可能化処理手段と、
前記電子マネー遊技使用装置に設けられ、前記遊技可能化処理手段によって前記遊技可能化処理に用いられた前記減算された電子マネー情報の額を特定可能な減算額特定情報と、前記減算終了情報を送信してきた携帯端末を識別するための携帯端末識別情報とを対応付けて記憶する減算電子マネー記憶手段と、
前記電子マネー遊技使用装置に設けられ、前記減算電子マネー記憶手段に記憶された前記減算額特定情報と該減算額特定情報に対応する前記携帯端末識別情報とを含む取引情報を前記サービス提供用サーバに所定時間ごとに送信するために出力する減算電子マネー出力手段と、
前記サービス提供用サーバに設けられ、前記減算電子マネー出力手段から送信されてきた取引情報と、前記送信電子マネー記憶手段に記憶された情報とに基づいて携帯端末識別情報ごとに電子マネー情報の残額を管理する管理手段とを備え、
前記遊技可能化処理手段は、前記減算電子マネー出力手段が前記取引情報を出力することを待つことなく、前記遊技可能化処理を行ない、
前記携帯端末は、前記電子マネー遊技使用サービスを実行するための前記携帯端末側の処理手順を示す特定プログラムを実行することによって、前記チャージされ減算された電子マネー情報をバックアップ情報として格納するバックアップ用格納手段を含むことを特徴とする、電子マネーシステム。
【請求項２】
前記サービス提供用サーバに対し、ユーザが自己の前記携帯端末を使用して前記電子マネー遊技使用サービスを享受できるようにするための登録を要求する登録要求情報を前記サービス提供用サーバに送信するために出力する登録要求情報出力手段と、
前記サービス提供用サーバに設けられ、前記登録要求情報出力手段から送信されてきた前記登録要求情報に応じて、前記特定プログラムを前記携帯端末に送信するために出力する特定プログラム出力手段と、
前記携帯端末に設けられ、前記特定プログラム出力手段から送信されてきた前記特定プログラムを記憶する特定プログラム記憶手段と、
前記携帯端末に設けられ、前記特定プログラム記憶手段に記憶された前記特定プログラムを実行することによって、電子マネー情報のチャージを要求するチャージ要求情報を前記サービス提供用サーバに送信するために出力するチャージ要求情報出力手段と、
前記サービス提供用サーバに設けられ、前記チャージ要求情報出力手段から送信されてきた前記チャージ要求情報に応じて、前記電子マネー情報のチャージに関する対価の決済を行ない、該決済の終了に応じて、前記電子マネー情報を前記携帯端末にチャージする電子マネー情報として前記携帯端末に送信するために出力する電子マネー出力手段と、
前記携帯端末に設けられ、前記特定プログラムを実行することによって、前記電子マネー出力手段から送信されてきた前記電子マネー情報を前記チャージされた電子マネー情報として格納する電子マネー格納手段とをさらに備えることを特徴とする、請求項１に記載の電子マネーシステム。
【請求項３】
前記電子マネー格納手段、および、前記バックアップ用格納手段は、それぞれ、物理的に異なるメモリに構成されることを特徴とする、請求項２に記載の電子マネーシステム。
【請求項４】
前記電子マネー格納手段、および、前記バックアップ用格納手段は、それぞれ、物理的に同じメモリの異なる領域に構成されることを特徴とする、請求項２に記載の電子マネーシステム。
【請求項５】
前記バックアップ用格納手段は、
前記特定プログラムを実行することによって、前記減算終了情報出力手段によって減算終了情報が出力されたか否かを判定する減算終了情報出力判定手段を含み、
該減算終了情報出力判定手段によって前記減算終了情報が出力されたと判定されたときに、前記バックアップ情報を格納することを特徴とする、請求項１に記載の電子マネーシステム。
【請求項６】
前記バックアップ用格納手段は、
前記特定プログラムを実行することによって、前記バックアップ情報の格納を指示するバックアップ操作の入力を受付けるバックアップ操作受付手段を含み、
該バックアップ操作受付手段によって前記バックアップ操作が受付けられたときに、前記バックアップ情報を格納することを特徴とする、請求項１に記載の電子マネーシステム。
【請求項７】
前記バックアップ用格納手段によって前記バックアップ情報が格納されてから所定期間経過したか否かを判定する所定期間経過判定手段をさらに備え、
前記バックアップ用格納手段は、前記所定期間経過判定手段によって所定期間経過したと判定されたときに、前記バックアップ情報を格納することを特徴とする、請求項１に記載の電子マネーシステム。
【請求項８】
前記バックアップ用格納手段は、前記電子マネー格納手段に格納されている電子マネー情報を読出して公開鍵暗号方式の公開鍵で暗号化して前記バックアップ情報として格納し、
前記サービス提供用サーバに設けられ、前記バックアップ用格納手段に格納されているバックアップ情報の取得を要求する取得要求情報を前記携帯端末に送信するために出力する取得要求情報出力手段と、
前記携帯端末に設けられ、前記特定プログラムを実行することによって、前記取得要求情報出力手段から送信されてきた前記取得要求情報に応じて、前記バックアップ用格納手段に格納されているバックアップ情報を前記サービス提供用サーバに送信するために出力する暗号化電子マネー出力手段と、
前記サービス提供用サーバに設けられ、前記暗号化電子マネー出力手段から送信されてきたバックアップ情報を前記公開鍵に対応する秘密鍵で元の電子マネー情報に復号する暗号化電子マネー復号手段とをさらに備えることを特徴とする、請求項２に記載の電子マネーシステム。
【請求項９】
電子マネーを用いて遊技を可能にするための電子マネー遊技使用サービスを提供する電子マネーシステムにおいて電子マネーがチャージされる携帯端末であって、
チャージされている電子マネー情報を用いて遊技を可能にするための電子マネー遊技使用装置から送信されてきた情報であって、遊技を可能にするために使用する電子マネー情報の引落しを要求する引落要求情報に応じて、前記チャージされた電子マネー情報から前記引落要求情報により要求された額の電子マネー情報を減算し、減算した旨を示す減算終了情報を前記電子マネー遊技使用装置に送信するために出力する減算終了情報出力手段と、
前記電子マネー遊技使用サービスを実行するための前記携帯端末側の処理手順を示す特定プログラムを実行することによって、前記チャージされ減算された電子マネー情報をバックアップ情報として格納するバックアップ用格納手段とを備えることを特徴とする、携帯端末。
【手続補正２】
【補正対象書類名】明細書
【補正対象項目名】０００７
【補正方法】変更
【補正の内容】
【０００７】
（１）  ユーザの携帯端末（たとえば、携帯電話１００）にチャージされた電子マネー（たとえば、バリュー）を用いて遊技（たとえば、パチンコ遊技）を可能にするための電子マネー遊技使用サービスを提供する電子マネーシステム（たとえば、電子マネーシステム１０）であって、
電子マネーに関するサービスを提供するサービス提供用サーバ（たとえば、電子マネー管理サーバ２００、決済サーバ２８０、リモート発行サーバ４００）に設けられ、前記携帯端末にチャージした電子マネー情報の額を特定可能な送信額特定情報と、該電子マネー情報をチャージした携帯端末を識別するための携帯端末識別情報（たとえば、携帯ＩＤ）とを対応付けて記憶する送信電子マネー記憶手段（たとえば、請求情報作成ＡＰ２１２、Ｓ２４９、発行情報ＤＢ２２２）と、
前記携帯端末と通信し、該携帯端末にチャージされている電子マネー情報を用いて遊技を可能にするための電子マネー遊技使用装置（たとえば、券売機３００、カードユニット６００，６００Ａ）に設けられ、遊技を可能にするために使用する電子マネー情報の引落しを要求する引落要求情報（たとえば、引落要求信号）を前記携帯端末に送信するために出力する引落要求情報出力手段（たとえば、チップリーダライタ３９０、制御部３９１、非接触通信部３９３）と、
前記携帯端末に設けられ、前記引落要求情報出力手段から送信されてきた前記引落要求情報に応じて、前記チャージされた電子マネー情報から前記引落要求情報により要求された額の電子マネー情報を減算し、減算した旨を示す減算終了情報（たとえば、減算終了信号）を前記電子マネー遊技使用装置に送信するために出力する減算終了情報出力手段（たとえば、非接触型ＩＣチップ１９０、制御部１９１、非接触通信部１９３）と、
前記電子マネー遊技使用装置に設けられ、前記減算終了情報出力手段から送信されてきた前記減算終了情報に応じて、前記減算された額の電子マネー情報を用いた遊技を可能にするための遊技可能化処理を行なう遊技可能化処理手段（たとえば、券売機３００、Ｓ３５５，Ｓ３６２）と、
前記電子マネー遊技使用装置に設けられ、前記遊技可能化処理手段によって前記遊技可能化処理に用いられた前記減算された電子マネー情報の額を特定可能な減算額特定情報と、前記減算終了情報を送信してきた携帯端末を識別するための携帯端末識別情報とを対応付けて記憶する減算電子マネー記憶手段（たとえば、店舗サーバ８００、Ｓ８１１，Ｓ８１２）と、
前記電子マネー遊技使用装置に設けられ、前記減算電子マネー記憶手段に記憶された前記減算額特定情報と該減算額特定情報に対応する前記携帯端末識別情報とを含む取引情報を前記サービス提供用サーバに所定時間（たとえば、３時間）ごとに送信するために出力する減算電子マネー出力手段（たとえば、店舗サーバ８００、Ｓ８１３，Ｓ８１４）と、
前記サービス提供用サーバに設けられ、前記減算電子マネー出力手段から送信されてきた取引情報と、前記送信電子マネー記憶手段に記憶された情報とに基づいて携帯端末識別情報ごとに電子マネー情報の残額を管理する管理手段（たとえば、残高管理ＡＰ２１４、Ｓ２６１〜Ｓ２６４）とを備え、
前記遊技可能化処理手段は、前記減算電子マネー出力手段が前記取引情報を出力することを待つことなく、前記遊技可能化処理を行ない（たとえば、発券機３００によって、Ｓ３６１で取引情報が店舗サーバ８００に送信され、Ｓ３６２でプリペイドカード３７１が発券され、店舗サーバ８００によって、Ｓ８１３，Ｓ８１４で所定時間ごとに取引情報が電子マネー管理サーバ２００に送信される）、
前記携帯端末は、前記電子マネー遊技使用サービスを実行するための前記携帯端末側の処理手順を示す特定プログラム（たとえば、電子マネーアプリ１１１）を実行することによって、前記チャージされ減算された電子マネー情報をバックアップ情報として格納するバックアップ用格納手段（たとえば、電子マネーアプリ１１１、携帯電話１００の記憶部１２０の不揮発性メモリ、Ｓ１３５，Ｓ１５５）を含む。